(57)【要約】【課題】  色むらを抑えた照明光を出射することができる照明装置を提供する。【解決手段】  照明装置１は、光源１０と、光源１０からの光を分配して、複数の分光を出射するビームスプリッタ２０と、ビームスプリッタ２０から出射された各分光を集光する集光レンズ４０Ａ，４０Ｂと、集光レンズ４０Ａ，４０Ｂにより集光された各分光が照射され、照射された各分光の反射により発光を生じる波長変換部５０Ａ，５０Ｂとを備える。波長変換部５０Ａ，５０Ｂに照射される各分光のエネルギー密度の差が所定範囲内となるように、照射領域の面積が、集光レンズ４０Ａ，４０Ｂにより集光された各分光の強度に応じて設定されている。【選択図】  図１
2017224529.tif 000002
【特許請求の範囲】
【請求項１】
光源と、
前記光源からの光を分配して、複数の分光を出射する光分配器と、
前記光分配器から出射された前記各分光に対して個別に設けられ、該各分光を集光するレンズと、
前記各レンズにより集光された前記各分光が照射され、照射された前記各分光の反射により発光を生じる発光部と、を備え、
前記発光部に照射される前記各分光のエネルギー密度の差が所定範囲内となるように、該発光部における前記各分光の照射領域の面積が、前記各レンズにより集光された前記各分光の強度に応じて設定されていることを特徴とする照明装置。
【請求項２】
請求項１に記載の照明装置において、
前記レンズの倍率によって、前記照射領域の面積が設定されていることを特徴とする照明装置。
【請求項３】
請求項１又は２に記載の照明装置において、
前記発光部の照射領域は、２以上の領域に分割され、
前記各レンズにより集光された前記各分光が、前記分割された領域の何れかに割り当てられていることを特徴とする照明装置。
【請求項４】
請求項３に記載の照明装置において、
前記分割された領域の重心位置が共通していることを特徴とする照明装置。
【請求項５】
請求項１〜４の何れか１項に記載の照明装置において、
前記光分配器から出射された前記各分光を、対応する前記各レンズに誘導する光ファイバを備えていること特徴とする照明装置。
【請求項６】
第１光源及び第２光源と、
前記第１光源からの光を分配して、第１強分光と該第１強分光よりも強度が弱い第１弱分光とを含む複数の第１分光を出射する第１光分配器と、
前記第２光源からの光を分配して、第２強分光と該第２強分光よりも強度が弱い第２弱分光とを含む複数の第２分光を出射する第２光分配器と、
前記第１強分光と前記第２弱分光とが照射され、照射された前記第１強分光と前記第２弱分光との反射により発光を生じる第１発光部と、
前記第１弱分光と前記第２強分光とが照射され、照射された前記第１分弱光と前記第２強分光との反射により発光を生じる第２発光部と、を備え、
前記第１発光部と前記第２発光部とに照射される前記各第１分光と前記各第２分光とのエネルギー密度の差が所定範囲内となるよう設定されていることを特徴とする照明システム。
【請求項７】
請求項６に記載の照明システムにおいて、
前記第１光分配器から出射された前記各第１分光及び前記第２光分配器から出射された前記各第２分光に対して個別に設けられ、該各第１分光と該各第２分光とを集光するレンズを備え、
前記第１発光部における前記第１強分光と前記第２弱分光との照射領域の面積が、前記各レンズにより集光された前記第１強分光と前記第２弱分光との強度に応じて設定され、
前記第２発光部における前記第１弱分光と前記第２強分光との照射領域の面積が、前記各レンズにより集光された前記第１弱分光と前記第２強分光との強度に応じて設定されていることを特徴とする照明システム。
【発明の詳細な説明】
【技術分野】
【０００１】
本発明は、光源と蛍光体とを組み合せた照明装置及び照明システムに関する。
【背景技術】
【０００２】
近年、レーザダイオードから出射される光を、蛍光体を含む発光部に照射し、発光部で励起された蛍光（黄色光）と、出射される光の反射光（青色光）とをレンズで集光して白色光を前方に出射する照明装置が普及し、車両用ヘッドライト等に利用されている。
【０００３】
例えば、特許文献１のヘッドライトシステムでは、単一のレーザ出射器から出射される光がコントロールユニットで複数のレーザビームに分離される。レーザビームは、蛍光材料を含む光源へ導かれ、さらにレンズを介して結像される。
【０００４】
本システムでは、レーザビームをビームスプリッタ（光分配器）で分配することで、光源の第一の領域を照らし、第二の領域を照らさないようにすることができる。これにより、様々な照明パターンの生成を可能としている（段落００８７，０１０４，図１９，２０）。
【０００５】
なお、本システムにおいても、レーザビーム（青色光）と蛍光（黄色光）との混色により白色光が得られるが、レーザビームのエネルギー密度が低い場合には蛍光が得られず、黄色光が減少して色むらが生じることがある。
【先行技術文献】
【特許文献】
【０００６】
【特許文献１】特許５７６６３５７号公報
【発明の概要】
【発明が解決しようとする課題】
【０００７】
特許文献１の図２０のようにレーザビームをビームスプリッタで分配する場合、分配により反射や透過をする度にレーザビームの光エネルギーが減少する。そして、光分配器で分配された各レーザビームを蛍光材料に照射した場合に、照射箇所におけるエネルギー密度の違いによって、スクリーンに投影されたとき、色むら（又は輝度むら）として現れることがある。
【０００８】
本発明は、このような事情に鑑みてなされたものであり、色むらを抑えた照明光を出射することができる照明装置を提供することを目的とする。
【課題を解決するための手段】
【０００９】
本発明の照明装置は、光源と、前記光源からの光を分配して、複数の分光を出射する光分配器と、前記光分配器から出射された前記各分光に対して個別に設けられ、該各分光を集光するレンズと、前記各レンズにより集光された前記各分光が照射され、照射された前記各分光の反射により発光を生じる発光部と、を備え、前記発光部に照射される前記各分光のエネルギー密度の差が所定範囲内となるように、該発光部における前記各分光の照射領域の面積が、前記各レンズにより集光された前記各分光の強度に応じて設定されていることを特徴とする。
【００１０】
本発明では、光源からの光が光分配器で分配されるとき光損失が生じて、光エネルギーが減少する。従って、光分配器による分光は徐々に光エネルギーが弱くなり、分光によって光エネルギーに差が生じる。
【００１１】
また、光分配器から出射された各分光が各レンズにより集光され、発光部の照射領域に照射されると、反射により発光が生じる。ここで、発光部に照射される各分光のエネルギー密度の差が所定範囲内となるように、照射領域の面積が各分光の強度に応じて設定されているので、発光量を均一化することができ、照明光の色むらを抑えることができる。
【００１２】
本発明の照明装置において、前記レンズの倍率によって、前記照射領域の面積が設定されていることが好ましい。
【００１３】
この構成によれば、レンズの倍率を変更すると、各分光が発光部を照射する照射面積が変更される。これにより、各照射領域に照射される各分光のエネルギー密度を調整することができる。
【００１４】
また、本発明の照明装置において、前記発光部の照射領域は、２以上の領域に分割され、前記各レンズにより集光された前記各分光が、前記分割された領域の何れかに割り当てられていることが好ましい。
【００１５】
この構成によれば、各レンズにより集光された各分光が、分割された領域の何れかに照射される。各領域は隣接していても、完全に分離されていてもよい。各分光は、各領域の面積に応じた大きさ（スポット）とすることができるので、各領域における発光量を均一化することができる。
【００１６】
また、本発明の照明装置において、前記分割された領域の重心位置が共通していることが好ましい。
【００１７】
この構成によれば、分割された領域を、例えば、円（又は楕円）の周囲を囲むリング状にして、各領域の重心位置が共通となるようにする。そして、光エネルギーの強度に応じて、各分光を各領域に割り当てることで、照明光の輝度を調整することができる。
【００１８】
また、本発明の照明装置において、前記光分配器から出射された前記各分光を、対応する前記各レンズに誘導する光ファイバを備えていることが好ましい。
【００１９】
この構成によれば、各分光を、光ファイバによって対応する各レンズに誘導することで、光の伝搬による損失を低減し、装置を小型化することができる。
【００２０】
本発明の照明システムは、第１光源及び第２光源と、前記第１光源からの光を分配して、第１強分光と該第１強分光よりも強度が弱い第１弱分光とを含む複数の第１分光を出射する第１光分配器と、前記第２光源からの光を分配して、第２強分光と該第２強分光よりも強度が弱い第２弱分光とを含む複数の第２分光を出射する第２光分配器と、前記第１強分光と前記第２弱分光とが照射され、照射された前記第１強分光と前記第２弱分光との反射により発光を生じる第１発光部と、前記第１弱分光と前記第２強分光とが照射され、照射された前記第１分弱光と前記第２強分光との反射により発光を生じる第２発光部と、を備え、前記第１発光部と前記第２発光部とに照射される前記各第１分光と前記各第２分光とのエネルギー密度の差が所定範囲内となるよう設定されていることを特徴とする。
【００２１】
本発明では、第１光分配器は第１光源からの光を分配し、第２光分配器は第２光源からの光を分配し、それぞれ強度の異なる第１分光と第２分光とを出射する。そして、第１強分光と第２弱分光とは第１発光部に照射され、第１弱分光と第２強分光とは第２発光部に照射される。
【００２２】
ここで、第１発光部及び第２発光部は、それぞれ第１分光と第２分光との両方が照射されるようになっているので、故障等により光源の１つから光が出射されなくなった場合にも、第１発光部と第２発光部との何れからも発光が得られる。
【００２３】
本発明の照明システムにおいて、前記第１光分配器から出射された前記各第１分光及び前記第２光分配器から出射された前記各第２分光に対して個別に設けられ、該各第１分光と該各第２分光とを集光するレンズを備え、前記第１発光部における前記第１強分光と前記第２弱分光との照射領域の面積が、前記各レンズにより集光された前記第１強分光と前記第２弱分光との強度に応じて設定され、前記第２発光部における前記第１弱分光と前記第２強分光との照射領域の面積が、前記各レンズにより集光された前記第１弱分光と前記第２強分光との強度に応じて設定されていることが好ましい。
【００２４】
この構成によれば、第１光分配器から出射された各第１分光（第１強分光及び第１弱分光）と、第２光分配器から出射された各第２分光（第２強分光及び第２弱分光）とに対して個別にレンズが設けられ、各分光はレンズで集光されて第１発光部又は第２発光部に照射される。
【００２５】
そして、第１発光部における第１強分光と第２弱分光との照射領域の面積が、各レンズにより集光された第１強分光と第２弱分光との強度に応じて設定されていること（第２発光部も同じ）で、発光量を均一化することができる。これにより、一方の光源の故障時に光量は低下するものの、照明光の色むらを抑えることが可能な照明システムとすることができる。
【図面の簡単な説明】
【００２６】
【図１】本発明の実施形態に係る照明装置の全体構成を示す断面図。
【図２】図１の照明装置を組み合わせた照明システムの全体構成を示す断面図。
【図３Ａ】図２の照明システムの詳細を説明する図。
【図３Ｂ】(ａ)図２の第１の波長変換部に照射されるレーザ光を説明する図と、（ｂ）図２の第２の波長変換部に照射されるレーザ光を説明する図。
【図４Ａ】波長変換部における照射領域の例（図３Ｂの波長変換部）。
【図４Ｂ】波長変換部における照射領域の例（分離した照射領域）。
【図４Ｃ】波長変換部における照射領域の例（円と円環の照射領域）。
【図５Ａ】ビームスプリッタで分配される光によるスポットを説明する図。
【図５Ｂ】（ａ）図５Ａの第１のレーザダイオードからのスポットによる配光例を説明する図と、（ｂ）図５Ａの第２のレーザダイオードからのスポットによる配光例を説明する図。
【発明を実施するための形態】
【００２７】
図１は、本発明の実施形態に係る照明装置１の全体構成を示す図である。
【００２８】
図１に示されるように、照明装置１は、光源１０、ビームスプリッタ２０、光ファイバ３０Ａ，３０Ｂ、集光レンズ４０Ａ，４０Ｂ及び波長変換部５０Ａ，５０Ｂで構成されている。
【００２９】
光源１０から出射された光は、ビームスプリッタ２０に入射すると、入射光の一部がビームスプリッタ２０内の第１のミラー２０ａ及び第２のミラー２０ｂを透過し、残りの光が第１のミラー２０ａ又は第２のミラー２０ｂで反射される。これにより、光源１０からの光が２以上に分配される（本発明の「分光」に相当）。なお、ビームスプリッタ２０は、本発明の「光分配器」に相当する。
【００３０】
また、以下の数値は一例であるが、光源１０の全光量をＱとした場合、第１のミラー２０ａを透過する光の光量がＱ／２、第１のミラー２０ａで反射され、光ファイバ３０Ａに入射する光の光量がＱ／３となる。そして、残りの光の光量Ｑ／６は、光損失となる。
【００３１】
また、第１のミラー２０ａを透過した光のうち、第２のミラー２０ｂを透過する光の光量がＱ／４、第２のミラー２０ｂで反射され、光ファイバ３０Ｂに入射する光の光量がＱ／６となる。ここでは、残りの光量Ｑ／１２が光損失となる。
【００３２】
光ファイバ３０Ａ，３０Ｂに入射した光は、それぞれ対応する集光レンズ４０Ａ，４０Ｂに誘導され、集光レンズ４０Ａ，４０Ｂで集光されて、それぞれ対応する波長変換部５０Ａ，５０Ｂに照射される。なお、波長変換部５０Ａ，５０Ｂは、本発明の「発光部」に相当する。
【００３３】
ここで、光ファイバ３０Ａ，３０Ｂによる光損失は無視できる程度であるから、波長変換部５０Ａ，５０Ｂに照射される光の光量は、それぞれＱ／３，Ｑ／６で差異が生じている。
【００３４】
波長変換部５０Ａ，５０Ｂに照射される光の光量の差を考慮すると、波長変換部５０Ａ，５０Ｂの照射面積を変更する必要がある。例えば、照射光の光量に２倍の差があるにも関わらず、照射面積が等しい場合、波長変換部５０Ａ，５０Ｂに照射される光のエネルギー密度が異なるため、励起される発光量にも差が生じる。
【００３５】
実施形態の照明装置１では、例えば、波長変換部５０Ａの照射面積を波長変換部５０Ｂの照射面積の２倍の大きさとする。これにより、単位面積当たりの光量（エネルギー密度）は等しくなり、同等の発光量を得ることができる。
【００３６】
波長変換部５０Ａ，５０Ｂでは、光源１０から入射した光の波長を変換して黄色光を生じさせる。具体的には、波長変換部５０Ａ，５０Ｂは、光源１０から照射されるレーザ光を吸収し、レーザ光と異なる波長の蛍光を発生する蛍光体層を含む。蛍光体層は、光を励起光として吸収し、発光する蛍光体を含む層であり、蛍光体として、例えば、Ｙ３Ａｌ５Ｏ１２：Ｃｅ３＋（ＹＡＧ）、（Ｓｉ，Ｂａ）２ＳｉＯ４：Ｅｕ２＋、Ｃａｘ（Ｓｉ，Ａｌ）１２（Ｏ，Ｎ）１６：Ｅｕ２＋等の黄色蛍光体を用いることができる。
【００３７】
蛍光体層は、蛍光体の粉末をガラスや樹脂中に分散させたもの、ガラス母体に発光中心イオンを添加したガラス蛍光体、樹脂等の結合剤を含まない蛍光体セラミックス等を用いることができる。ガラスに蛍光塗料を塗布したものであってもよい。
【００３８】
図２は、図１の照明装置１を２つ組み合せた照明システム１００の概略図を示している。
【００３９】
図２に示されるように、光源としてレーザダイオード１１，１２（本発明の「第１光源」、「第２光源」に相当）がある。レーザダイオード１１，１２は、ＩｎＧａＮ系やＧａＮ系の半導体から構成され、図示しない電源から所定の電圧を印加することにより、紫外から青紫色（波長４２０〜４９０ｎｍ）のレーザ光を出力する。
【００４０】
また、ビームスプリッタとして、それぞれレーザダイオード１１，１２に対応したビームスプリッタ２１，２２（本発明の「第１光分配器」、「第２光分配器」に相当）がある。レーザダイオード１１から出射されたレーザ光はビームスプリッタ２１に入射して、２つのレーザ光に分配される。
【００４１】
分配されたレーザ光の一方は、光ファイバ３１により集光レンズ４１に誘導され、左ライト６０Ｌ内の波長変換部５１に入射する。また、分配されたレーザ光のもう一方は、光ファイバ３２により集光レンズ４２に誘導され、右ライト６０Ｒ内の波長変換部５２に入射する。
【００４２】
同様に、レーザダイオード１２から出射されたレーザ光は、ビームスプリッタ２２に入射して、２つのレーザ光に分配される。分配されたレーザ光の一方は、光ファイバ３３により集光レンズ４３に誘導され、左ライト６０Ｌ内の波長変換部５１に入射する。また、分配されたレーザ光のもう一方は、光ファイバ３４により集光レンズ４４に誘導され、右ライト６０Ｒ内の波長変換部５２に入射する。
【００４３】
このように、レーザダイオード１１のレーザ光が左ライト６０Ｌ、右ライト６０Ｒに分配され、レーザダイオード１２のレーザ光も同様に、両方のライト６０Ｌ，６０Ｒに分配される。これにより、レーザダイオード１１，１２の一方が故障してレーザ出力がなくなったような場合にも、両方のライト６０Ｌ，６０Ｒをアクティブに維持することができる。
【００４４】
次に、図３Ａ，図３Ｂを参照して、照明システム１００の詳細を説明する。
【００４５】
まず、図３Ａに示されるように、ビームスプリッタ２１の第１のミラー２１ａで反射されたレーザ光は、光ファイバ３１により集光レンズ４１に誘導され、出射される。また、ビームスプリッタ２１の第１のミラー２１ａを透過し、第２のミラー２１ｂで反射されたレーザ光は、光ファイバ３２により集光レンズ４２に誘導され、出射される。
【００４６】
同様に、ビームスプリッタ２２の第１のミラー２２ａで反射されたレーザ光は、光ファイバ３４により集光レンズ４４に誘導され、出射される。また、ビームスプリッタ２２の第１のミラー２２ａを透過し、第２のミラー２２ｂで反射されたレーザ光は、光ファイバ３３により集光レンズ４３に誘導され、出射される。
【００４７】
図１で説明したように、光ファイバ３１を通過する光は、光ファイバ３２を通過する光と比較して光量が多いため、最終的な照射光のスポットにも差が生じる。一般に光ファイバ３１を通過した光（本発明の「第１強分光」に相当）によるスポットをＳＰ１、光ファイバ３２を通過した光（本発明の「第１弱分光」に相当）によるスポットをＳＰ２とした場合、ＳＰ１の方が照射可能な面積が広く、強度（光エネルギー）も高い。
【００４８】
同様に、光ファイバ３３を通過した光（本発明の「第２弱分光」に相当）によるスポットをＳＰ３、光ファイバ３４を通過した光（本発明の「第２強分光」に相当）によるスポットをＳＰ４とした場合、一般にＳＰ４の方が照射可能な面積が広く、強度も高い。
【００４９】
なお、集光レンズ４１，４２の倍率を変更することでスポットのサイズ調整が可能である。例えば、光ファイバ３２を通過する光を集光レンズ４２で拡大して、光ファイバ３１，３２を通過する光による両スポットを同サイズとすれば、各照射領域の面積を等しくすることもできる。
【００５０】
また、図３Ｂ(ａ)に示されるように、光ファイバ３１を通過した光によるＳＰ１は、波長変換部５１の広い領域を照射し、光ファイバ３３を通過した光によるＳＰ３は、波長変換部５１の狭い領域を照射する。ＳＰ１はＳＰ３と比較して光エネルギーが高く、照射面積も広いため、このように波長変換部５１の照射領域を分担することで、単位面積当たりの光量（エネルギー密度）はほぼ等しくなる。すなわち、各照射領域で、照射される光のエネルギー密度の差が所定範囲内に収まるようにすることで、蛍光の励起状態が均一化され、照明光の色むらを抑えることができる。
【００５１】
また、図３Ｂ（ｂ）に示されるように、光ファイバ３２を通過した光によるＳＰ２は、波長変換部５２の狭い領域を照射し、光ファイバ３４を通過した光によるＳＰ４は、波長変換部５２の広い領域を照射する。波長変換部５１，５２は、レーザダイオード１１，１２の双方からレーザ光が供給されているため、仮にレーザダイオード１１，１２の一方が故障しても波長変換部５１，５２から発光が得られ、投射映像用の配光が作られる。
【００５２】
次に、図４Ａ〜図４Ｃを参照して、波長変換部における照射領域の例を説明する。
【００５３】
まず、図４Ａは、上述した図３Ｂ(ａ)の波長変換部５１を上方から見た図である。光ファイバ３１を通過する光は光量が多いので（図３Ａ参照）、波長変換部５１左側の広い領域にＳＰ１を割り当てる。一方、光ファイバ３３を通過する光は比較的光量が少ないので、波長変換部５１右側の狭い領域にＳＰ３を割り当てる。これにより、波長変換部５１の左右の領域に照射される光のエネルギー密度の差が小さくなり、励起される蛍光による発光量を均一化することができる。
【００５４】
また、光ファイバ３１を通過するレーザ光はレーザダイオード１１から、光ファイバ３３を通過するレーザ光はレーザダイオード１２から出力されている（図３Ａ参照）。すなわち、少なくとも波長変換部５１の左右の領域の一方をレーザ光が照射することで、光量は落ちるものの蛍光が励起される。
【００５５】
図４Ｂに示されるように、波長変換部５１は広い領域５１ａと、狭い領域５１ｂに完全に分離されていてもよい。照明システム１００を車両用灯具として用いる場合、例えば、領域５１ａから作られる配光をハイビーム用、領域５１ｂから作られる配光をロービーム用として区別して利用することもできる。ビームスプリッタによりビーム光を３以上に分配する場合、波長変換部５１を３以上の領域に分割して、割り当ててもよい。
【００５６】
また、照射領域は、円形や楕円形に限られない。図４Ｃに示されるように、本発明の照明装置１は、楕円形のスポットＳＰＸの他、リング状のスポットＳＰＹを作ることができる。また、照射領域を重心位置（図中の×印）が共通する楕円領域、リング状領域に分割して、スポットＳＰＸ、ＳＰＹを各領域に割り当てることができる。
【００５７】
例えば、光ファイバの出射端から所定の距離だけ離れた位置に、２枚の投影スクリーンを配置することで、円環状のスポットが作られる（特開２０１５−２１０８７２号公報の段落００３３〜００３５参照）。
【００５８】
最後に、図５Ａ，図５Ｂを参照して、ビームスプリッタの分配光によるスポットと、それを利用した配光例を説明する。なお、図５Ａでは、光ファイバ３１〜３４、集光レンズ４１〜４４の図示を省略した。
【００５９】
図５Ａに示されるように、レーザダイオード１１から出射され、ビームスプリッタ２１の第１のミラー２１ａで反射されたレーザ光によるスポットをＳＰＬ、ビームスプリッタ２１の第１のミラー２１ａ、第２のミラー２１ｂを透過したレーザ光によるスポットをＳＰＭ、ビームスプリッタ２１の第１のミラー２１ａを透過し、第２のミラー２１ｂで反射されたレーザ光によるスポットをＳＰＳとした場合、出射されるレーザ光の光量の関係から、スポットの面積はＳＰＳ，ＳＰＭ，ＳＰＬの順に大きくなる。
【００６０】
同様に、レーザダイオード１２から出射され、ビームスプリッタ２２の第１のミラー２２ａで反射されたレーザ光によるスポットをＳＰＬ’、ビームスプリッタ２２の第１のミラー２２ａ、第２のミラー２２ｂを透過したレーザ光によるスポットをＳＰＭ’、ビームスプリッタ２２の第１のミラー２２ａを透過し、第２のミラー２２ｂで反射されたレーザ光によるスポットをＳＰＳ’とした場合、スポットの面積はＳＰＳ’，ＳＰＭ’，ＳＰＬ’の順に大きくなる。なお、各スポットを区別できるように、スポットＳＰＳ’，ＳＰＭ’，ＳＰＬ’を破線で示した。
【００６１】
また、図５Ｂ(ａ)に示されるように、波長変換部５１左側の広い領域にはスポットＳＰＬを割り当て、波長変換部５１右側の狭い領域にはスポットＳＰＳ’を割り当てる。これにより、何れかの領域にレーザ光が照射されて蛍光が励起される。さらに、波長変換部５１の広い領域の左端にスポットＳＰＭ’を割り当てることで、左端部を高輝度化することができる。
【００６２】
同様に、波長変換部５２右側の広い領域にはスポットＳＰＬ’を割り当て、波長変換部５２の左側の狭い領域にはスポットＳＰＳを割り当てる。さらに、波長変換部５２の広い領域の右端にスポットＳＰＭを割り当てることで、波長変換部５２の右端部を高輝度化することができる。
【００６３】
このように、ビームスプリッタ２１，２２から出射されるレーザ光に対して、波長変換部５１，５２の照射面積を増やしたり、様々な照射領域に対応させて配光パターンを作ることができる。
【００６４】
実施形態の照明装置１は、主に車両用前照灯（ヘッドライト）に適用することができる。また、照明装置１を一般照明に適用してもよい。上記の実施形態は一例であり、これ以外にも様々な変形例が考えられる。
【００６５】
ビームスプリッタにより４以上のスポットができるようにレーザ光を分配してもよい。この場合、３つのスポットは配光を作るのに利用するが（図５Ａ参照）、もう１つはレーザ光を光検出器（例えば、フォトダイオード）に入射させ、光源の異常を検知するセンシングに利用することができる。
【符号の説明】
【００６６】
１…照明装置、１０…光源、１１，１２…レーザダイオード、２０，２１，２２…ビームスプリッタ、３０Ａ，３０Ｂ，３１〜３４…光ファイバ、４０Ａ，４０Ｂ，４１〜４４…集光レンズ、５０Ａ，５０Ｂ，５１，５２…波長変換部、６０Ｌ…左ライト、６０Ｒ…右ライト、１００…照明システム。
【図１】
2017224529.tif 000003
【図２】
2017224529.tif 000004
【図３Ａ】
2017224529.tif 000005
【図３Ｂ】
2017224529.tif 000006
【図４Ａ】
2017224529.tif 000007
【図４Ｂ】
2017224529.tif 000008
【図４Ｃ】
2017224529.tif 000009
【図５Ａ】
2017224529.tif 000010
【図５Ｂ】
2017224529.tif 000011